【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
読影レポートを表すレポートデータを格納する読影レポートサーバと、診断のために用いられる検査画像を表示するための少なくとも１つの画像表示端末とを利用して読影レポートを作成する際に用いられる読影レポート作成装置であって、
今回の検査が経過観察の対象であるか否かを判定する経過観察検査判定手段と、
今回の検査が経過観察の対象である場合に、前記読影レポートサーバに格納されているレポートデータの内から今回の検査と同一の患者に関するレポートデータを前回レポートデータとして決定する前回レポート決定手段と、
前記前回レポート決定手段によって決定された前回レポートデータを前記読影レポートサーバから取得する前回レポートデータ取得手段と、
検査画像を表す画像データが格納されている画像データ格納手段から、少なくとも今回の検査画像を表す画像データを取得する画像データ取得手段と、
前回レポートデータに基づいて、今回の検査画像の内から、前回の検査において読影に用いられたキー画像のスライス位置に対応するスライス位置におけるキー画像を推定するキー画像推定手段と、
キー画像が所定の形式で表示されるように、キー画像を含む検査画像を表す画像データを前記少なくとも１つの画像表示端末に出力する画像データ出力手段と、
を具備する読影レポート作成装置。
【請求項２】
前記前回レポート決定手段が、今回の検査と同一の患者についてされた同一の検査に関する過去の読影レポートの内で最新のものを表すレポートデータを前回レポートデータとして決定する、請求項１記載の読影レポート作成装置。
【請求項３】
前記キー画像推定手段が、前回レポートデータに含まれているキー画像付帯情報に基づいて、今回の検査画像の内からキー画像を推定する、請求項１又は２記載の読影レポート作成装置。
【請求項４】
前記キー画像推定手段が、前回の検査におけるキー画像と同一のシリーズにおいて前回の検査におけるキー画像に最もスライス位置が近い画像を、今回の検査におけるキー画像と推定する、請求項３記載の読影レポート作成装置。
【請求項５】
前記画像データ出力手段が、前記キー画像推定手段によって推定されたキー画像が所定の位置のコマに配置されるように、検査画像の表示形式を設定して画像データを出力する、請求項１〜４のいずれか１項記載の読影レポート作成装置。
【請求項６】
ユーザによって入力された情報に基づいて、今回の検査画像の内からキー画像とすべき画像を決定するキー画像決定手段をさらに具備する、請求項１〜５のいずれか１項記載の読影レポート作成装置。
【請求項７】
前記前回レポートデータ取得手段によって取得された前回レポートデータと、今回の検査におけるキー画像とに基づいて、読影レポートの草案を生成する草案生成手段をさらに具備する、請求項１〜６のいずれか１項記載の読影レポート作成装置。
【請求項８】
ユーザによる読影レポートの保存命令があった場合に、前記表示手段の表示画面に現在表示されている読影レポートにおけるテキスト情報と、前記草案生成手段によって生成された読影レポートの草案におけるテキスト情報とを比較し、両者に相違があるか否かを判定する比較手段と、
前記比較手段によって両者に相違があると判定された場合に、前記表示手段の表示画面に現在表示されている読影レポートを今回の読影レポートとして保存する保存手段と、
をさらに具備する請求項７記載の読影レポート作成装置。
【請求項９】
少なくとも過去の検査の検査画像を格納する画像データ格納手段と、
今回の検査が経過観察の対象となっている検査であるか否かを判定する経過観察検査判定手段と、
前記経過観察検査判定手段によって今回の検査が経過観察の対象となっている検査であると判定された場合に、今回の検査と同一の患者についてされた同一の検査に関する過去の検査の検査画像の内のキー画像を前記画像データ格納手段から取得する画像データ取得手段と、
を含む、読影支援システム。
【請求項１０】
少なくとも過去の検査の読影レポートを表すレポートデータを格納する読影レポート格納手段と、
前記経過観察検査判定手段によって今回の検査が経過観察の対象となっている検査であると判定された場合に、前記読影レポート格納手段に格納されているレポートデータの内から今回の検査と同一の患者に関するレポートデータを前回レポートデータとして決定する前回レポート決定手段と、
前記前回レポート決定手段によって決定された前回レポートデータを前記読影レポート格納手段から取得する前回レポートデータ取得手段と、
を更に含む、請求項９記載の読影支援システム。
【請求項１１】
前記前回レポート決定手段が、今回の検査と同一の患者についてされた同一の検査に関する過去の読影レポートの内で最新のものを表すレポートデータを前回レポートデータとして決定する、請求項１０記載の読影支援システム。
【請求項１２】
前回レポートデータに基づいて、今回の検査画像の内から、前回の検査において読影に用いられたキー画像のスライス位置に対応するスライス位置におけるキー画像を推定するキー画像推定手段を更に含む、請求項１１記載の読影支援システム。
【請求項１３】
前記キー画像推定手段が、前回レポートデータに含まれているキー画像付帯情報に基づいて、今回の検査画像の内からキー画像を推定する、請求項１２記載の読影支援システム。
【請求項１４】
前記キー画像推定手段が、前回の検査におけるキー画像と同一のシリーズにおいて前回の検査におけるキー画像に最もスライス位置が近い画像を、今回の検査におけるキー画像と推定する、請求項１２又は１３記載の読影支援システム。
【請求項１５】
前記画像データ取得手段が、前記経過観察検査判定手段によって今回の検査が経過観察の対象となっている検査であると判定された場合に、今回の検査と同一の患者の同一の部位についてされた同一の種類の検査に関する過去の検査の検査画像の内のキー画像を前記画像データ格納手段から取得する、請求項９〜１４のいずれか１項に記載の読影支援システム。
【請求項１６】
前記画像データ取得手段が、前記経過観察検査判定手段によって今回の検査が経過観察の対象となっている検査であると判定された場合に、今回の検査と同一の患者の同一の部位について所定の期間内にされた同一の種類の検査に関する過去の検査の検査画像の内のキー画像を前記画像データ格納手段から取得する、請求項１５記載の読影支援システム。
【請求項１７】
今回の検査のキー画像が所定の形式で画像表示端末において表示されるように出力する画像データ出力手段を更に含む、請求項１２〜１６のいずれか１項に記載の読影支援システム。
【請求項１８】
ユーザによって入力された情報に基づいて、今回の検査画像の内からキー画像とすべき画像を決定するキー画像決定手段を更に含む、請求項１２〜１７のいずれか１項に記載の読影支援システム。
【請求項１９】
前記前回レポートデータ取得手段によって取得された前回レポートデータと、今回の検査におけるキー画像とに基づいて、読影レポートの草案を生成する草案生成手段を更に含む、請求項１０〜１８のいずれか１項に記載の読影支援システム。
【請求項２０】
ユーザによる読影レポートの保存命令があった場合に、ユーザによって入力又は更新されたテキスト情報と、前記草案生成手段によって生成された読影レポートの草案におけるテキスト情報とを比較し、両者に相違があるか否かを判定する比較手段と、
前記比較手段によって両者に相違があると判定された場合に、ユーザによって入力又は更新されたテキスト情報を含む読影レポートを今回の読影レポートとして前記読影レポート格納手段に保存する保存手段と、
を更に含む、請求項１９記載の読影支援システム。
【請求項２１】
コンピュータを、請求項９〜２０のいずれか一項に記載の読影支援システムとして機能させるためのプログラム。
【手続補正２】
【補正対象書類名】明細書
【補正対象項目名】発明の名称
【補正方法】変更
【補正の内容】
【発明の名称】読影レポート作成装置、読影支援システム及びプログラム
【手続補正３】
【補正対象書類名】明細書
【補正対象項目名】０００１
【補正方法】変更
【補正の内容】
【０００１】
本発明は、医療診断のために用いられる検査画像（医用画像）の撮影後に医師によって行われる読影を支援するための読影支援システムにおいて、読影レポートを作成するために用いられる読影レポート作成装置に関する。また、本発明は、医療診断のために用いられる検査画像（医用画像）の撮影後に医師によって行われる読影を支援するための読影支援システム及びプログラムに関する。
【手続補正４】
【補正対象書類名】明細書
【補正対象項目名】０００７
【補正方法】変更
【補正の内容】
【０００７】
そこで、上記の点に鑑み、本発明は、今回の検査において撮像された画像の内から、前回の検査において読影に用いられたキー画像に対応するキー画像を容易に検索して画像表示端末（ビューワ）に表示することができる読影レポート作成装置を提供することを目的とする。また、本発明は、今回の検査の読影を容易にすることを可能とする読影支援システム及びプログラムを提供することを更なる目的とする。
【手続補正５】
【補正対象書類名】明細書
【補正対象項目名】０００８
【補正方法】変更
【補正の内容】
【０００８】
上記課題を解決するため、本発明に係る読影レポート作成装置は、読影レポートを表すレポートデータを格納する読影レポートサーバと、診断のために用いられる検査画像を表示するための少なくとも１つの画像表示端末とを利用して読影レポートを作成する際に用いられる読影レポート作成装置であって、今回の検査が経過観察の対象であるか否かを判定する経過観察検査判定手段と、今回の検査が経過観察の対象である場合に、読影レポートサーバに格納されているレポートデータの内から今回の検査と同一の患者に関するレポートデータを前回レポートデータとして決定する前回レポート決定手段と、該前回レポート決定手段によって決定された前回レポートデータを読影レポートサーバから取得する前回レポートデータ取得手段と、検査画像を表す画像データが格納されている画像データ格納手段から、少なくとも今回の検査画像を表す画像データを取得する画像データ取得手段と、前回レポートデータに基づいて、今回の検査画像の内から、前回の検査において読影に用いられたキー画像のスライス位置に対応するスライス位置におけるキー画像を推定するキー画像推定手段と、キー画像が所定の形式で表示されるように、キー画像を含む検査画像を表す画像データを少なくとも１つの画像表示端末に出力する画像データ出力手段とを具備する。
また、本発明に係る読影支援システムは、少なくとも過去の検査の検査画像を格納する画像データ格納手段と、今回の検査が経過観察の対象となっている検査であるか否かを判定する経過観察検査判定手段と、経過観察検査判定手段によって今回の検査が経過観察の対象となっている検査であると判定された場合に、今回の検査と同一の患者についてされた同一の検査に関する過去の検査の検査画像の内のキー画像を画像データ格納手段から取得する画像データ取得手段とを含む。
また、本発明に係るプログラムは、コンピュータを、上記した読影支援システムとして機能させる。
【手続補正６】
【補正対象書類名】明細書
【補正対象項目名】０００９
【補正方法】変更
【補正の内容】
【０００９】
本発明に係る読影レポート作成装置によれば、今回の検査と同一の患者についてされた同一の検査に関する過去の読影レポートの内で最新のものである前回レポートを決定し、前回レポートデータに基づいて、今回の検査画像の内から、前回の検査において読影に用いられたキー画像のスライス位置に対応するスライス位置におけるキー画像を推定することにより、前回のキー画像に対応するキー画像を容易に検索して画像表示端末に表示することができる。また、本発明に係る読影支援システム及びプログラムによれば、今回の検査が経過観察の対象となっている検査である場合に、今回の検査と同一の患者についてされた同一の検査に関する過去の検査の検査画像の内のキー画像を取得することができる。従って、ユーザがキー画像を検索する手間を省いて、読影レポートの作成に要する時間を短縮し、効率良く読影レポートを作成することが可能となる。
【手続補正７】
【補正対象書類名】明細書
【補正対象項目名】００１０
【補正方法】変更
【補正の内容】
【００１０】
以下、本発明を実施するための最良の形態について、図面を参照しながら詳しく説明する。なお、同一の構成要素には同一の参照番号を付して、説明を省略する。
図１は、本発明の一実施形態に係る読影レポート作成装置及び本発明の一実施形態に係る読影支援システムの構成を示すブロック図である。
【手続補正８】
【補正対象書類名】明細書
【補正対象項目名】００６０
【補正方法】変更
【補正の内容】
【００６０】
本発明は、医用画像の撮像後に医師によって行われる読影を支援するための読影支援システムにおいて、読影レポートを作成するために用いられる読影レポート作成装置において利用することが可能である。また、本発明は、医療診断のために用いられる検査画像（医用画像）の撮影後に医師によって行われる読影を支援するための読影支援システムにおいて利用することが可能である。
【手続補正９】
【補正対象書類名】明細書
【補正対象項目名】００６１
【補正方法】変更
【補正の内容】
【００６１】
【図１】本発明の一実施形態に係る読影レポート作成装置及び本発明の一実施形態に係る読影支援システムの構成を示すブロック図である。
【図２】１回の検査によって取得される検査画像を示す概念図である。
【図３】キー画像の付帯情報を示す表（キー画像テーブル）を示す図である。
【図４】図１に示す読影レポート作成装置の構成を示すブロック図である。
【図５】図４に示すキー画像推定部によるキー画像の推定方法を示すフローチャートである。
【図６】前回及び今回の検査画像におけるキー画像のスライス位置を示す図である。
【図７】１つの画像表示端末を用いる場合における検査画像の表示形式を示す図である。
【図８】２つの画像表示端末を用いる場合における検査画像の表示形式を示す図である。
【図９】３つの画像表示端末を用いる場合における検査画像の表示形式を示す図である。
【図１０】図４に示す草案生成部によって生成された読影レポートの草案を示す模式図である。
【図１１】図１に示す読影レポート作成装置の動作を示すフローチャートである。